(57)【要約】      （修正有）【課題】複数の動物感知手段を用途によって使い分け、確実に動物を捕獲できる捕獲檻を提供する。【解決手段】少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のいずれかが作動した際に前記保持手段を解除するＯＲ回路トリガー手段が設けられていることを特徴とする。【選択図】図１
0003145336.tif 000002
【実用新案登録請求の範囲】
【請求項１】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のいずれかが作動した際に前記保持手段を解除するＯＲ回路トリガー手段が設けられていることを特徴とする捕獲檻。
【請求項２】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のうち２以上が作動した際に前記保持手段を解除するＡＮＤ回路トリガー手段が設けられていることを特徴とする捕獲檻。
【請求項３】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段がすべて作動しても前記保持手段を解除しないで保持するＮＯＴ回路トリガー手段が設けられていることを特徴とする捕獲檻。
【請求項４】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のいずれかが作動した際に前記保持手段を解除するＯＲ回路トリガー手段、前記複数の作動手段のうち２以上が作動した際に前記保持手段を解除するＡＮＤ回路トリガー手段、及び該複数の作動手段がすべて作動しても前記保持手段を解除しないで保持するＮＯＴ回路トリガー手段とが設けられていることを特徴とする捕獲檻。
【請求項４】
前記トリガー手段が機械的回路であることを特徴とする請求項１乃至３のいずれかに記載の捕獲檻。
【請求項５】
前記トリガー手段が、直立する複数のトリガーピンと、レバー軸の両側に回動自在に延伸され一端部において前記トリガーピンに摺動自在に間挿されている複数のトリガーレバーと、一端部に前記トリガーピンに挿通可能な貫通孔を有し他端部において前記保持手段を解除する保持解除手段に接続された複数のトリガー板とからなることを特徴とする請求項４記載の捕獲檻。
【請求項６】
前記複数のトリガーレバーのそれぞれが、前記トリガーピン間挿端部と反対側の端部において動物感知手段に接続されていることを特徴とする請求項５記載の捕獲檻。
【請求項７】
前記複数のトリガーレバーは、該レバーを相互に連結するためのショートバーが取り付けられる手段を具備することを特徴とする請求項１、４、５乃至６のいずれかに記載の捕獲檻。
【請求項８】
前記トリガーピン近傍の前記複数のトリガーレバーの動作範囲外に、トリガーストッパーが設けられていることを特徴とする請求項７記載の捕獲檻。
【請求項９】
前記保持解除手段が、作動軸の回りに回動可能に設けられた主作動アームと、該主作動アームに対して略垂直に伸びるトリガーアームと、該トリガーアームを規制する主作動スプリングと、一端が前記主作動アームに連結され他端が前記保持手段に連結されているメインワイヤとからなることを特徴とする請求項１乃至８のいずれかに記載の捕獲檻。
【請求項１０】
前記主作動アームが前記トリガー手段の前記トリガー板と接続されていることを特徴とする請求項９記載の捕獲檻。
【考案の詳細な説明】
【技術分野】
【０００１】  本考案は、動物、特には猪などの大型獣を捕獲するのに好適な捕獲檻に関する。
【背景技術】
【０００２】  一般に、両端部に開口を有する角筒状の檻本体と、この開口部にドアが摺動可能に設置され垂直に降下して開口を塞ぐように構成された捕獲檻は公知である。これらの檻では、ワイヤ引っ掛け式、床面踏み込み式、回転式、揺動式等、種々の方式により動物が檻内に入った際にドアを自動的に作動させて動物を閉じ込める機構が採用されている。【０００３】  例えば特許文献１では、重量により底板の姿勢が変化することにより、開口部扉の係止を解除する手段が開示されている。【０００４】  また、特許文献２においては、檻の下部中央に棒状部材を突出させ、この部材の動きにより扉を作動させる機構が開示されている。【０００５】  さらに特許文献３においては、檻の上方よりブランコバーを吊り下げ、このバーの揺動力を利用して扉を作動させる手段が開示されている。
【特許文献１】特開平８−５６５４９号公報
【特許文献２】特開２００３−５２２９６号公報
【特許文献３】特開２００３−１４４０３５号公報
【考案の開示】
【考案が解決しようとする課題】
【０００６】  上述の従来技術においては、檻開口部の扉を落下作動させるために単一の機構を利用しており、複数の機構を利用したものはみられなかった。しかし、単一の機構の場合、動物の種類や大きさにより作動機構が十分に機能しない場合があった。また、複数の動物が檻に接近しても単一の機構が作動すると１匹しか捕獲できないという問題もあった。【０００７】  また、従来の扉動作機構は動物感知機構と扉作動機構がアナログ的に接続されているため、動物感知機構がある程度大きく動かないと扉作動機構が作動しないという問題点もあった。【０００８】  本考案は上記問題点に鑑みてなされたものであり、複数の動物感知手段を用途によって使い分け、確実に動物を捕獲できる捕獲檻を提供することを課題とする。
【課題を解決するための手段】
【０００９】  上記課題を解決するため本考案においては、少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のいずれかが作動した際に前記保持手段を解除するＯＲ回路トリガー手段が設けられていることを特徴とする。【００１０】  また本考案の別の特徴として、複数の作動手段のうち２以上が作動した際に前記保持手段を解除するＡＮＤ回路トリガー手段を使用することもできる。【００１１】  さらに、複数の作動手段がすべて作動しても前記保持手段を解除しないで保持するＮＯＴ回路トリガー手段を採用することもできる。【００１２】  前記複数の作動手段のいずれかが作動した際に前記保持手段を解除するＯＲ回路トリガー手段、前記複数の作動手段のうち２以上が作動した際に前記保持手段を解除するＡＮＤ回路トリガー手段、さらには複数の作動手段がすべて作動しても前記保持手段を解除しないで保持するＮＯＴ回路トリガー手段のすべてを具備することがさらに好適である。【００１３】  前記トリガー手段は電気的な回路で構成することもできるが、耐久性やコストを考えると機械的回路であることが望ましい。【００１４】  前記トリガー手段としては、直立する複数のトリガーピンと、レバー軸の両側に回動自在に延伸され一端部において前記トリガーピンに摺動自在に間挿されている複数のトリガーレバーと、一端部に前記トリガーピンに挿通可能な貫通孔を有し他端部において前記保持手段を解除する保持解除手段に接続された複数のトリガー板とから構成することができる。【００１５】  前記複数のトリガーレバーのそれぞれは、前記トリガーピン間挿端部と反対側の端部において動物感知手段に接続されていることが好ましい。【００１６】  前記複数のトリガーレバーは、該レバーを相互に連結するためのショートバーを取り付けることもできる。【００１７】  前記トリガーピン近傍の前記複数のトリガーレバーの動作範囲外に、トリガーストッパーを設けることもできる。【００１８】  前記保持解除手段としては、作動軸の回りに回動可能に設けられた主作動アームと、該主作動アームに対して略垂直に伸びるトリガーアームと、該トリガーアームを規制する主作動スプリングと、一端が前記主作動アームに連結され他端が前記保持手段に連結されているメインワイヤとからなることを特徴とする。【００１９】  前記主作動アームは、前記トリガー手段の前記トリガー板と接続されていることが好適である。
【考案の効果】
【００２０】  本考案による捕獲檻では、複数の作動手段とＡＮＤ、ＯＲ及びＮＯＴ回路が選択できるトリガー手段を採用することにより、動物の種類や大きさに応じて回路を切り替えることができるので、動物の捕獲が確実にでき、また、ＮＯＴ回路にすることにより、動物感知手段が作動してもトリガー手段が作動しないようにできるので、作業中などに扉が突然落下するような事故を防止することが可能となる。また、トリガー手段を採用することにより、動物感知手段の動きがデジタル的に扉保持手段に伝達されるので、扉の落下が確実になる。
【考案を実施するための最良の形態】
【実施例】
【００２１】  以下、本考案による捕獲檻の好適な実施例について、図面に基づいて説明する。図１は、本考案の実施例を示す説明図である。この図において、右下がトリガー部、左上が作動部となる。トリガー部においては、３組の屈曲板状のトリガーレバー２がそれぞれトリガー軸３により回動自在にトリガーステージ１に固定されている。このトリガーレバー２の一端にはワイヤ接続穴６が形成されており、この穴に接続された接続ワイヤ８を通して各動物感知手段に連絡されている。トリガーレバー２のもう一方の端部にはトリガー穴９が形成されていて、トリガーステージ１より直立するトリガーピン４に間挿されている。また、トリガーレバー２のワイヤ接続穴６近傍は、連結バー７により３組のトリガーレバー２を相互に連結できるよう構成されている。【００２２】  一方作動部のほうは、作動軸２５に対して回動自在に固定された主作動アーム２１の両端部にはメインワイヤ２４が固着されていて、このメインワイヤ２４のもう一方の端部は閉鎖部材である扉の保持手段（図示してない）に連結されている。また、主作動アーム２１の中央部からはこのアーム２１に対して垂直方向にトリガーアーム２２が伸びていて、先端部付近において主作動スプリング２３により檻本体（図示してない）に弾性的に接続されている。さらに、トリガーアーム２２の先端部にはトリガーワイヤ１２が接続されていて、このトリガーワイヤ１２は途中から分岐ワイヤ１３に分岐されそれぞれのワイヤ１３の先端にトリガー板１１が接続されている。作動部とトリガー部はこのトリガー板１１により連結される。【００２３】  図２には、本実施例によるトリガー部の断面図を示す。トリガーレバー２はトリガー穴９においてトリガーピン４に間挿着座されている。その上からトリガー板１１を挿通係止する。【００２４】  上記トリガー部の接続ワイヤに接続する動物感知手段としては特に限定されるものではなく、前述の特許文献に開示されたものを含めてどのような手段でもよいが、機構の簡略性や操作性を考慮すると、ワイヤにより駆動されるものが好適である。また、動物の種類や大きさによりトリガー回路を切り替えることを考えると、接続される動物感知手段はそれぞれ異なったものであることが望ましい。一例としては、床面が重量により姿勢変化する重量感知式、檻本体下部にワイヤを張り動物が接触することによりワイヤの動きを感知するワイヤ式、及び檻本体上部より揺動型の感知棒を吊り下げ動物の背中が接触することにより感知するブランコ式などの組み合わせが好適である。【００２５】  本考案による捕獲檻に使用する檻本体についても、特に限定されるものではないが、従来から使用されているような格子状金属棒による檻本体で両側に開口部が形成されており、この開口部には落下式の扉が摺動可能に取り付けられ、檻本体上面付近においてこの扉を保持係止する保持手段が設けられていればよい。保持手段としては、例えば、側面から突起が突出して扉の落下経路を遮断しており、この突起が強制的に引き込まれることにより扉が自重により落下する方式などが容易に考えられる。【００２６】  さて次に、本考案による捕獲檻実施例の動作について説明する。まず、ＡＮＤ回路によるトリガー手段について説明する。図１に示したようにトリガーピン４、トリガーレバー２及びトリガー板１１はそれぞれ３組ずつ配置されている。それぞれのトリガーレバー２をそれぞれのトリガーピン４に間挿して係止させてから、３組のトリガー板１１を１枚ずつ別々のトリガーピンに挿通係止する。これにより、それぞれのトリガー板１１からそれぞれの動物感知手段までの回路が形成される。今、いずれかの動物感知手段において動物が感知されるとトリガーレバー２が引っ張られて回動する。これにより、トリガーレバー２の端部が持ち上げられてトリガーピン４から解放され、同時にその上に係止されていたトリガー板４も解放する。従って、分岐ワイヤの１本は支持を失って弛緩する。ただし、この設定の場合は、他の２組のトリガー板１１がトリガーピン４に係止されているため、主作動レバー２１自体には変化は起こらない。３組の動物感知手段が動作した場合、すなわち３組のトリガー板１１がすべて解放された場合にのみトリガーワイヤ１２が弛緩し、トリガーアーム２２が主作動スプリング２３の弾性力によって引き寄せられ、主作動アーム２１を回動させる。この動きによりメインワイヤ２４が引き寄せられ、扉の保持手段を解放することによって扉が落下し、檻が閉鎖される。すなわち、３組のトリガーすべてが作動した際にのみ扉が動作するＡＮＤ回路となる。【００２７】  トリガー手段は３組である必要はなく、複数であれば本考案の効果は得られるが、あまり数が多くなると機構が複雑となり、また製造コストも上昇するため好ましくない。さらに、上記実施例において、３組のトリガー手段すべてを常に使用する必要はなく、目的に応じていずれか２組だけ使用しても同様の効果は得られる。場合によっては、どれか１つのトリガーのみを使用することも可能である。【００２８】  次に、ＯＲ回路について説明する。この場合には連結バー７を用いて３組のトリガーレバー２を相互に連結する。これによりどの動物感知手段動作してもすべてのトリガーレバー２が同時に回動することになる。従って、トリガー板１１は、いずれか１枚をいずれかのトリガーピン４に挿通係止するだけでよい。これによって、どの動物感知手段が動作してもトリガーレバーが回動し、トリガー板を解放するので扉を作動させることができる。すなわち、ＯＲ回路のトリガー手段となる。【００２９】  さらに、ＮＯＴ回路について説明する。それぞれのトリガーステージ１にはストッパーピン５が形成されている。このストッパーピン５はトリガーレバー２とは独立しているので、トリガー板４のいずれかをこのストッパーピン５に係止することにより、主作動部はトリガー部の動きに関係なく作動から保護される。檻のメンテナンスや作業の際にこの回路を使用すれば、扉が不意に落下するような危険を回避することが可能となる。
【産業上の利用可能性】
【００３０】  本考案によれば、複数の動物感知手段を効率よく使用できる捕獲檻を提供でき、また作業などの安全性が確保できるので、有害動物捕獲手段提供に大いに貢献できるものである。
【図面の簡単な説明】
【００３１】
【図１】本考案による捕獲檻の動作機構実施例を示した説明図である。
【図２】図１に示した実施例のトリガー部断面図である。
【符号の説明】
【００３２】１            トリガーステージ
２            トリガーレバー
３            トリガー軸
４            トリガーピン
５            ストッパーピン
６            ワイヤ接続穴
７            連結バー
８            接続ワイヤ
９            トリガー穴
１１          トリガー板
１２          トリガーワイヤ
１３          分岐ワイヤ
２１          主作動アーム
２２          トリガーアーム
２３          主作動スプリング
２４          メインワイヤ
２５          作動軸
【図１】
0003145336.tif 000003
【図２】
0003145336.tif 000004
【手続補正書】
【提出日】平成20年6月30日(2008.6.30)
【手続補正１】
【補正対象書類名】明細書
【補正対象項目名】実用新案登録請求の範囲
【補正方法】変更
【補正の内容】
【実用新案登録請求の範囲】
【請求項１】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のいずれかが作動した際に前記保持手段を解除するＯＲ回路トリガー手段が設けられていることを特徴とする捕獲檻。
【請求項２】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のうち２以上が作動した際に前記保持手段を解除するＡＮＤ回路トリガー手段が設けられていることを特徴とする捕獲檻。
【請求項３】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段がすべて作動しても前記保持手段を解除しないで保持するＮＯＴ回路トリガー手段が設けられていることを特徴とする捕獲檻。
【請求項４】
少なくとも一方の端部に開口部を有する檻本体と、保持状態を解除することにより前記開口部を閉鎖可能に構成された閉鎖部材と、該閉鎖部材を前記開口部の上側に保持することのできる保持手段と、前記檻本体内部に配置され該保持手段と連動して前記閉鎖部材の保持を解除できる作動手段とからなる捕獲檻において、前記作動手段が複数からなり、該複数の作動手段のいずれかが作動した際に前記保持手段を解除するＯＲ回路トリガー手段、前記複数の作動手段のうち２以上が作動した際に前記保持手段を解除するＡＮＤ回路トリガー手段、及び該複数の作動手段がすべて作動しても前記保持手段を解除しないで保持するＮＯＴ回路トリガー手段とが設けられていることを特徴とする捕獲檻。
【請求項５】
前記トリガー手段が機械的回路であることを特徴とする請求項１乃至４のいずれかに記載の捕獲檻。
【請求項６】
前記トリガー手段が、直立する複数のトリガーピンと、レバー軸の両側に回動自在に延伸され一端部において前記トリガーピンに摺動自在に間挿されている複数のトリガーレバーと、一端部に前記トリガーピンに挿通可能な貫通孔を有し他端部において前記保持手段を解除する保持解除手段に接続された複数のトリガー板とからなることを特徴とする請求項５記載の捕獲檻。
【請求項７】
前記複数のトリガーレバーのそれぞれが、前記トリガーピン間挿端部と反対側の端部において動物感知手段に接続されていることを特徴とする請求項６記載の捕獲檻。
【請求項８】
前記複数のトリガーレバーは、該レバーを相互に連結するためのショートバーが取り付けられる手段を具備することを特徴とする請求項６または７に記載の捕獲檻。
【請求項９】
前記トリガーピン近傍の前記複数のトリガーレバーの動作範囲外に、トリガーストッパーが設けられていることを特徴とする請求項８記載の捕獲檻。
【請求項１０】
前記保持解除手段が、作動軸の回りに回動可能に設けられた主作動アームと、該主作動アームに対して略垂直に伸びるトリガーアームと、該トリガーアームを規制する主作動スプリングと、一端が前記主作動アームに連結され他端が前記保持手段に連結されているメインワイヤとからなることを特徴とする請求項１乃至９のいずれかに記載の捕獲檻。
【請求項１１】
前記主作動アームが前記トリガー手段の前記トリガー板と接続されていることを特徴とする請求項１０記載の捕獲檻。